(57)【特許請求の範囲】
【請求項１】
基材上に塗工した透明な樹脂バインダー内に多数のキャビティが形成され、各キャビティ内に表裏で色及び帯電特性が互いに異なる回転粒子と、該回転粒子を回転可能に囲繞する誘電性液体とが収容されてなり、前記樹脂バインダー上から与えられる電荷パターンにより、回転粒子の向きを反転制御して表示を行う情報表示媒体において、
前記樹脂バインダーに、表面固有抵抗率が１０４〜１０１２Ω／□である半導電性樹脂を用いたことを特徴とする情報表示媒体。
【請求項２】
表裏で色及び帯電特性が互いに異なる回転粒子と、該回転粒子を回転可能に囲繞する誘電性液体とを内包したマイクロカプセルが、基材上に塗工した透明な樹脂バインダー内に分散配置されてなり、該樹脂バインダー上から与えられる電荷パターンにより、回転粒子の向きを反転制御して表示を行う情報表示媒体において、
前記樹脂バインダーに、表面固有抵抗率が１０４〜１０１２Ω／□である半導電性樹脂を用いたことを特徴とする情報表示媒体。
【請求項３】
多数の帯電粒子と誘電性液体とを内包したマイクロカプセルが、基材上に塗工した透明な樹脂バインダー内に分散配置されてなり、該樹脂バインダー上から与えられる電荷パターンにより、帯電粒子を泳動制御して表示を行う情報表示媒体において、
前記樹脂バインダーに、表面固有抵抗率が１０４〜１０１２Ω／□である半導電性樹脂を用いたことを特徴とする情報表示媒体。
【請求項４】
誘電性液体が、常温において固化し、かつ加熱により溶融する特性を備えていることを特徴とする請求項１乃至請求項３の何れかに記載の情報表示媒体。
【請求項５】
誘電性液体が、チキソトロピー性を備えていることを特徴とする請求項１乃至請求項３の何れかに記載の情報表示媒体。
【発明の詳細な説明】
【技術分野】
【０００１】
本発明は、電荷パターンによって帯電粒子を反転、泳動または移動させて情報を可逆的に表示する情報表示媒体に関する。
【背景技術】
【０００２】
近年、紙のように薄くて軽く、かつ文字や画像等の可視情報を可逆的に書き換えて表示し得るリライタブルペーパーと称される新しい情報表示媒体の研究開発が盛んに行われている。この情報表示媒体は湿式と乾式とに大別され、湿式の情報表示媒体の一形態として知られているツイストボール方式のものにあっては、基材上に塗工した透明な樹脂バインダー内に多数のキャビティが形成され、各キャビティ内に表裏で色及び帯電特性が互いに異なる球形または短円柱形の回転粒子と、該回転粒子を回転可能に囲繞する誘電性液体とが収容されており、前記樹脂バインダー上から与えられる電荷パターンによって、回転粒子の向きを反転制御して表示を行うように構成されている。また、同じくツイストボール方式のものにあって、表裏で色及び帯電特性が互いに異なる回転粒子と、該回転粒子を回転可能に囲繞する誘電性液体とを内包したマイクロカプセルを、基材上に塗工した透明な樹脂バインダー内に分散配置し、該樹脂バインダー上から与えられる電荷パターンにより、回転粒子の向きを反転制御して表示を行うものも知られている。また、湿式の情報表示媒体の他の形態として知られているマイクロカプセル電気泳動方式のものにあっては、多数の帯電粒子と誘電性液体とを内包したマイクロカプセルが、基材上に塗工した透明な樹脂バインダー内に分散配置されており、該樹脂バインダー上から与えられる電荷パターンによって、帯電粒子を泳動制御して表示を行うように構成されている。さらに、ペーパー態様ではないが、マイクロカプセルを用いない電気泳動方式の表示装置で、少なくとも一方が透明な対向する一対の基板間に多数の帯電粒子と誘電性液体とを封入し、基板上から与えられる電荷パターンによって、帯電粒子を泳動制御して表示を行うように構成されたものも知られており（例えば、特許文献１参照）、かかる構成をペーパー態様の情報表示媒体に適用することも可能である。
【０００３】
一方、乾式の情報表示媒体としては、例えば、少なくとも一方が透明な対向する一対の基板間に多数の帯電粒子と気体を封入し、基板上から与えられる電荷パターンにより、帯電粒子を移動制御して表示を行うように構成された基板間封入方式のものが知られている（例えば、特許文献２参照）。
【０００４】
上記のような湿式の情報表示媒体にあって、ツイストボール方式またはマイクロカプセル電気泳動方式における樹脂バインダーや、マイクロカプセルを用いない電気泳動方式において少なくとも電荷パターンが与えられる側の基板、或いは乾式の情報表示媒体にあって少なくとも電荷パターンが与えられる側の基板には、与えられた電荷パターンに対応する静電潜像電荷を保持させるために絶縁性樹脂が用いられており、該絶縁性樹脂の外面に何らかの手段で与えられた電荷パターンに応じて発生する電界によって回転粒子の向きや帯電粒子の泳動や移動を制御して文字や画像等の可視情報を表示させるとともに、その表示後は、特に電荷パターンを与えなくても、絶縁性樹脂の外面に保持された静電潜像電荷によって表示状態が維持されるようになっている。
【０００５】
ところで、このように絶縁性樹脂の外面に保持された静電潜像電荷によって表示状態を維持させるようにした情報表示媒体にあっては、絶縁性樹脂の外面に指等が接触すると、その接触部分の静電潜像電荷が、指等の動きに伴って絶縁性樹脂上を移動したり、或いは人体を通して放電されたりして可視情報の表示状態が乱れてしまうことがあった。
【０００６】
そこで、湿式の情報表示媒体にあっては、常温において固化し、かつ加熱により溶融する特性を備えた分散媒（例えば、特許文献３参照）や、チキソトロピー性を備えた液体材料（例えば、特許文献４参照）を誘電性液体として用いることにより、指等の人体の接触に対して可視情報の安定性を確保する方法が考えられている。即ち、常温において固化し、かつ加熱により溶融する特性を備えた分散媒を誘電性液体として用いた場合には、可視情報の書き換え時に、誘電性液体を適宜の加熱手段によって加熱して溶融させると、電界の印可による可視情報の書き換えが可能になり、その書き換え後、誘電性液体が常温に戻ると同時に誘電性液体が固化するため、可視情報の表示状態を長期間に亘って維持させることができる。また、チキソトロピー性を備えた液体材料を誘電性液体として用いた場合には、電界を印可していない状態では、誘電性液体の高い粘性によって可視情報の表示状態を長期間に亘って維持させることができる一方、可視情報の書き換え時に電界の印可によって粒子に一定以上のクーロン力を与えると、誘電性液体の粘性が低下して粒子の回転または泳動が可能となる。従って、このような加熱溶融性またはチキソトロピー性を備えた誘電性液体を用いることによって、人体の接触に影響されない安定した可視情報の表示が可能な情報表示媒体とすることができる。
【特許文献１】特開平６−２０２１６８号公報
【特許文献２】実開２００５−１２８５０１号公報
【特許文献３】特開平８−１７９７０６号公報
【特許文献４】実開２００２−１３１７９０号公報
【発明の開示】
【発明が解決しようとする課題】
【０００７】
しかしながら、従来の湿式及び乾式の何れの情報表示媒体にあっても、絶縁性樹脂の外面に静電潜像電荷が保持されていることにより、可視情報の書き換えに際しては、保持されている静電潜像電荷を除去してからでないと、可視情報の書き換えができないという問題点があった。
【０００８】
本発明は、人体の接触による表示情報の乱れを防止し得るとともに、可視情報の書き換えに際して、静電潜像電荷の除去を行う必要のない情報表示媒体を提供することを目的とするものである。
【課題を解決するための手段】
【０００９】
本発明は、基材上に塗工した透明な樹脂バインダー内に多数のキャビティが形成され、各キャビティ内に表裏で色及び帯電特性が互いに異なる回転粒子と、該回転粒子を回転可能に囲繞する誘電性液体とが収容されてなり、前記樹脂バインダー上から与えられる電荷パターンにより、回転粒子の向きを反転制御して表示を行う情報表示媒体において、前記樹脂バインダーに、表面固有抵抗率が１０４〜１０１２Ω／□である半導電性樹脂を用いたことを特徴とする情報表示媒体である。
【００１０】
ここで、前記電荷パターンとは、文字や画像等の可視情報形状に対応するように配列分布された電荷の集合形態である。
【００１１】
上記構成にあって、半導電性樹脂としては、イオン伝導性ポリマーを混入したイソシアネート基を有する樹脂が好適に用いられ、イオン伝導性ポリマーの混入率を調整することによって表面固有抵抗率が設定され得る。
【００１２】
また、本発明は、表裏で色及び帯電特性が互いに異なる回転粒子と、該回転粒子を回転可能に囲繞する誘電性液体とを内包したマイクロカプセルが、基材上に塗工した透明な樹脂バインダー内に分散配置されてなり、該樹脂バインダー上から与えられる電荷パターンにより、回転粒子の向きを反転制御して表示を行う情報表示媒体において、前記樹脂バインダーに、表面固有抵抗率が１０４〜１０１２Ω／□である半導電性樹脂を用いたことを特徴とする情報表示媒体である。
【００１３】
この構成にあっても上記と同様に、半導電性樹脂としては、イオン伝導性ポリマーを混入したイソシアネート基を有する樹脂が好適に用いられ、イオン伝導性ポリマーの混入率を調整することによって表面固有抵抗率が設定され得る。
【００１４】
また、本発明は、多数の帯電粒子と誘電性液体とを内包したマイクロカプセルが、基材上に塗工した透明な樹脂バインダー内に分散配置されてなり、該樹脂バインダー上から与えられる電荷パターンにより、帯電粒子を泳動制御して表示を行う情報表示媒体において、前記樹脂バインダーに、表面固有抵抗率が１０４〜１０１２Ω／□である半導電性樹脂を用いたことを特徴とする情報表示媒体である。
【００１５】
この構成にあっても上記と同様に、半導電性樹脂としては、イオン伝導性ポリマーを混入したイソシアネート基を有する樹脂が好適に用いられ、イオン伝導性ポリマーの混入率を調整することによって表面固有抵抗率が設定され得る。
【００１６】
また、本発明は、少なくとも一方が透明な対向する一対の基板間に多数の帯電粒子と誘電性液体とが封入されてなり、基板上から与えられる電荷パターンにより、帯電粒子を泳動制御して表示を行う情報表示媒体において、電荷パターンが与えられる側の基板に、表面固有抵抗率が１０４〜１０１２Ω／□である半導電性樹脂を用いたことを特徴とする情報表示媒体である。
【００１７】
この構成にあっても上記と同様に、半導電性樹脂としては、イオン伝導性ポリマーを混入したイソシアネート基を有する樹脂が好適に用いられ、イオン伝導性ポリマーの混入率を調整することによって表面固有抵抗率が設定され得る。
【００１８】
上述した湿式の各情報表示媒体にあって、誘電性液体を、常温において固化し、かつ加熱により溶融する特性を備えたものとする構成が提案される。
【００１９】
また、上記のような特性に代えて、誘電性液体が、チキソトロピー性を備えているものとしてもよい。
【００２０】
また、本発明は、少なくとも一方が透明な対向する一対の基板間に多数の帯電粒子と気体とが封入されてなり、基板上から与えられる電荷パターンにより、帯電粒子を移動制御して表示を行う情報表示媒体において、電荷パターンが与えられる側の基板に、表面固有抵抗率が１０４〜１０１２Ω／□である半導電性樹脂を用いたことを特徴とする情報表示媒体である。
【００２１】
このような乾式の情報表示媒体の構成にあっても、半導電性樹脂としては、イオン伝導性ポリマーを混入したイソシアネート基を有する樹脂が好適に用いられ、イオン伝導性ポリマーの混入率を調整することによって表面固有抵抗率が設定され得る。
【発明の効果】
【００２２】
本発明は、上述したように、湿式の情報表示媒体にあって、ツイストボール方式またはマイクロカプセル電気泳動方式における樹脂バインダーや、マイクロカプセルを用いない電気泳動方式において電荷パターンが与えられる側の基板、或いは乾式の情報表示媒体にあって、電荷パターンが与えられる側の基板に、表面固有抵抗率が１０４〜１０１２Ω／□である半導電性樹脂を用いたので、前記樹脂バインダーまたは基板の表面に、イオンフローにより電荷パターンを与えると、該電荷パターンに応じて発生する電界によって回転粒子の向きや帯電粒子の泳動や移動が制御され、文字や画像等の可視情報を表示させることができる。ここで、前記樹脂バインダーまたは基板が半導電性であることにより、電荷パターンが与えられると、該電荷パターンが半導電性の絶縁特性によって樹脂バインダーまたは基板の表面に一時的に保持され、この時点で該電荷パターンが有する強い電界強度によって、上記のように回転粒子の向きや帯電粒子の泳動や移動が制御されるが、その後、一時的に保持されている電荷パターンは、半導電性の導電特性により分散して消失する。即ち、半導電性樹脂によって、電荷を一時的に保持した後、分散消失させる作用を得ることができる。また、回転粒子や帯電粒子は、分子間引力（Van der Walls力）によってその位置に保持され、これによって可視情報の表示状態が維持される。そして、このように、与えられた電荷パターンが静電潜像電荷として半導電性樹脂の外面にいつまでも保持されることなく消失するので、指等が接触しても電荷の移動または放電に起因する可視情報の乱れが生じることがなく、また、可視情報の書き換えに際しても、静電潜像電荷の除去を行う必要がない。
【００２３】
上述した湿式の各情報表示媒体において、誘電性液体を、常温において固化し、かつ加熱により溶融する特性を備えたものとする構成にあっては、可視情報の書き換え時に、誘電性液体を適宜の加熱手段によって加熱して溶融させると、粒子の回転または泳動が可能となって可視情報の書き換えができ、その書き換え後、誘電性液体が常温に戻ると同時に誘電性液体が固化するため、可視情報の表示状態の安定性をさらに向上させることができる。
【００２４】
また、誘電性液体を、チキソトロピー性を備えたものとする構成にあっては、可視情報の書き換え時に電界の印可によって粒子に一定以上のクーロン力を与えると、誘電性液体の粘性が低下して粒子の回転または泳動が可能となって可視情報の書き換えができ、その書き換え後、クーロン力がなくなると誘電性液体に高い粘性が生じて可視情報の表示状態が維持されるため、その表示状態の安定性をさらに向上させることができる。
【発明を実施するための最良の形態】
【００２５】
以下に、本発明の第一実施例を、図１に基づいて説明する。
この第一実施例は、湿式の情報表示媒体として知られているツイストボール方式のリライタブルペーパーに本発明を適用したものである。このリライタブルペーパー１Ａは、基材２上に塗工した透明な樹脂バインダー３内に多数のキャビティ４が形成され、各キャビティ４内に表裏で色及び帯電特性が互いに異なる回転粒子５と、該回転粒子５を回転可能に囲繞する誘電性液体６とが収容されている。
【００２６】
前記基材２は、紙，合成紙，合成樹脂製フィルム，合成樹脂製シート等の可撓性を有する薄膜軽量な素材で形成されている。また、回転粒子５は半球毎に白色と黒色に色分けされており、白色半球には負電荷が帯電し、黒色半球には正電荷が帯電している。そして、樹脂バインダー３の表面に、負電荷パターンを与えると回転粒子５が回転して正電荷を持つ黒色半球が上を向くので樹脂バインダー３の表面からは黒色が視認され、また、樹脂バインダー３の表面に、正電荷パターンを与えると回転粒子５が回転して負電荷を持つ白色半球が上を向くので樹脂バインダー３の表面からは白色が視認される。そして、このように電荷パターンに応じて発生する電界により各回転粒子５の向きを反転制御して、可視情報の表示を行い得るようになっている。尚、回転粒子５の半球毎の色分けは、白黒二色以外の互いに異なる色の組合せであってもよい。また、回転粒子５は球形以外に、表裏で色及び帯電特性が互いに異なる短円柱形であってもよい。
【００２７】
前記樹脂バインダー３は、ウレタン系樹脂等のイソシアネート基を有する樹脂にイオン伝導性ポリマーを所定割合で混入した半導電性樹脂からなり、該イオン伝導性ポリマーの混入率を調整することによって、半導電性樹脂の表面固有抵抗率が設定されている。本発明にあっては、この半導電性樹脂の表面固有抵抗率を１０４〜１０１２Ω／□、好ましくは１０１０〜１０１１Ω／□としている。ここで、表面固有抵抗率が１０１２Ω／□を超えると絶縁性が高くなりすぎて、電荷がいつまでも保持されるので好ましくなく、また、表面固有抵抗率が１０４Ω／□未満であると導電性が高くなりすぎて、電荷の一時的な保持が困難となるため好ましくない。イオン伝導性ポリマーは、イオン伝導性の導電性付与剤であり、これには日本カーリット株式会社製のＰＥＬ（商品名）が好適に用いられ得る。また、イソシアネート基を有する樹脂には、三井武田ケミカル株式会社製のウレタン樹脂でタケネートＷＤ（商品名）が好適に用いられ得る。
【００２８】
かかる構成にあって、樹脂バインダー３の表面に、イオンフローにより電荷パターンを与えると、樹脂バインダー３が半導電性であることにより、該電荷パターンが半導電性の絶縁特性によって樹脂バインダー３の表面に一時的に保持され、この時点で該電荷パターンが有する強い電界強度によって各回転粒子５の向きが制御されて、文字や画像等の可視情報を表示させることができる。その後、一時的に保持されている電荷パターンは、半導電性の導電特性により分散して消失する。また、各回転粒子５は、分子間引力（Van der Walls力）によってその位置に保持され、これによって可視情報の表示状態が維持される。そして、このように、与えられた電荷パターンが静電潜像電荷として半導電性樹脂からなる樹脂バインダー３にいつまでも保持されることなく消失するので、樹脂バインダー３の表面に指等が接触しても電荷の移動または放電に起因する可視情報の乱れが生じることがなく、また、可視情報の書き換えに際しても、静電潜像電荷の除去を行う必要がない。
【００２９】
図２は、本発明の第二実施例を示し、この第二実施例は、湿式の情報表示媒体として知られている、他の形態のツイストボール方式のリライタブルペーパーに本発明を適用したものである。このリライタブルペーパー１Ｂは、表裏で色及び帯電特性が互いに異なる回転粒子５と、該回転粒子５を回転可能に囲繞する誘電性液体６とを内包した多数のマイクロカプセル７が、基材２上に塗工した透明な樹脂バインダー３内に分散配置されている。尚、その他の構成及び各回転粒子５の反転制御方法は、第一実施例と同じであり、重複する説明を省略する。
【００３０】
前記樹脂バインダー３は、第一実施例と同様に、ウレタン系樹脂等のイソシアネート基を有する樹脂にイオン伝導性ポリマーを所定割合で混入した半導電性樹脂からなり、表面固有抵抗率が１０４〜１０１２Ω／□、好ましくは１０１０〜１０１１Ω／□に設定されたものが用いられている。
【００３１】
かかる構成にあって、樹脂バインダー３の表面に、イオンフローにより電荷パターンを与えると、樹脂バインダー３が半導電性であることにより、第一実施例と同様に、該電荷パターンが半導電性の絶縁特性によって樹脂バインダー３の表面に一時的に保持され、この時点で該電荷パターンが有する強い電界強度によって各回転粒子５の向きが制御されて、文字や画像等の可視情報を表示させることができる。その後、一時的に保持されている電荷パターンは、半導電性の導電特性により分散して消失する。また、各回転粒子５は、分子間引力（Van der Walls力）によってその位置に保持され、これによって可視情報の表示状態が維持される。そして、このように、与えられた電荷パターンが静電潜像電荷として半導電性樹脂からなる樹脂バインダー３にいつまでも保持されることなく消失するので、樹脂バインダー３の表面に指等が接触しても電荷の移動または放電に起因する可視情報の乱れが生じることがなく、また、可視情報の書き換えに際しても、静電潜像電荷の除去を行う必要がない。
【００３２】
図３は、本発明の第三実施例を示し、この第三実施例は、湿式の情報表示媒体として知られているマイクロカプセル電気泳動方式のリライタブルペーパーに本発明を適用したものである。このリライタブルペーパー１Ｃは、多数の帯電粒子８と誘電性液体６とを内包した多数のマイクロカプセル９が、基材２上に塗工した透明な樹脂バインダー３内に分散配置されている。
【００３３】
ここで、帯電粒子８は白色に着色され、負電荷が帯電している。また、誘電性液体６は青色に着色されている。そして、樹脂バインダー３の表面に、負電荷パターンを与えると負電荷を持つ帯電粒子８がマイクロカプセル９の下部に移動するので樹脂バインダー３の表面からは青色が視認される。また、樹脂バインダー３の表面に、正電荷パターンを与えると帯電粒子８がマイクロカプセル９の上部に移動するので樹脂バインダー３の表面からは白色が視認される。そして、このように電荷パターンに応じて発生する電界により各マイクロカプセル９内の帯電粒子８を泳動制御して、可視情報の表示を行い得るようになっている。尚、帯電粒子８と誘電性液体６の色分けは、白青二色以外の互いに異なる色の組合せであってもよい。
【００３４】
前記樹脂バインダー３は、第一実施例と同様に、ウレタン系樹脂等のイソシアネート基を有する樹脂にイオン伝導性ポリマーを所定割合で混入した半導電性樹脂からなり、表面固有抵抗率が１０４〜１０１２Ω／□、好ましくは１０１０〜１０１１Ω／□に設定されたものが用いられている。
【００３５】
かかる構成にあって、樹脂バインダー３の表面に、イオンフローにより電荷パターンを与えると、樹脂バインダー３が半導電性であることにより、第一実施例と同様に、該電荷パターンが半導電性の絶縁特性によって樹脂バインダー３の表面に一時的に保持され、この時点で該電荷パターンが有する強い電界強度によって各マイクロカプセル９内の帯電粒子８が泳動制御されて、文字や画像等の可視情報を表示させることができる。その後、一時的に保持されている電荷パターンは、半導電性の導電特性により分散して消失する。また、各帯電粒子８は、分子間引力（Van der Walls力）によってその位置に保持され、これによって可視情報の表示状態が維持される。そして、このように、与えられた電荷パターンが静電潜像電荷として半導電性樹脂からなる樹脂バインダー３にいつまでも保持されることなく消失するので、樹脂バインダー３の表面に指等が接触しても電荷の移動または放電に起因する可視情報の乱れが生じることがなく、また、可視情報の書き換えに際しても、静電潜像電荷の除去を行う必要がない。
【００３６】
図４は、本発明の第四実施例を示し、この第四実施例は、湿式の情報表示媒体にあって、マイクロカプセルを用いない電気泳動方式のリライタブルペーパーに本発明を適用したものである。このリライタブルペーパー１Ｄは、上下で対向する一対の基板２ａ，２ｂ間に多数の帯電粒子８と誘電性液体６とが封入されている。
【００３７】
前記基板２ａ，２ｂは、合成樹脂製フィルム，合成樹脂製シート等の可撓性を有する薄膜軽量な素材で形成されており、電荷パターンが与えられる上部側の基板２ａが透明となっている。尚、下部側の基板２ｂは、非浸透処理を施した紙，合成紙で構成することも可能である。また、帯電粒子８は白色に着色され、負電荷が帯電している。一方、誘電性液体６は青色に着色されている。そして、上部側の基板２ａの表面に、負電荷パターンを与えると負電荷を持つ帯電粒子８が下方に移動するので上部側の基板２ａの表面からは青色が視認される。また、上部側の基板２ａの表面に、正電荷パターンを与えると帯電粒子８が上方に移動するので上部側の基板２ａの表面からは白色が視認される。そして、このように電荷パターンに応じて発生する電界により帯電粒子８を泳動制御して、可視情報の表示を行い得るようになっている。尚、帯電粒子８と誘電性液体６の色分けは、白青二色以外の互いに異なる色の組合せであってもよい。
【００３８】
電荷パターンが与えられる上部側の基板２ａは、第一実施例と同様に、ウレタン系樹脂等のイソシアネート基を有する樹脂にイオン伝導性ポリマーを所定割合で混入した半導電性樹脂からなり、表面固有抵抗率が１０４〜１０１２Ω／□、好ましくは１０１０〜１０１１Ω／□に設定されたものが用いられている。
【００３９】
かかる構成にあって、上部側の基板２ａの表面に、イオンフローにより電荷パターンを与えると、該基板２ａが半導電性であることにより、第一実施例と同様に、該電荷パターンが半導電性の絶縁特性によって基板２ａの表面に一時的に保持され、この時点で該電荷パターンが有する強い電界強度によって各帯電粒子８が泳動制御されて、文字や画像等の可視情報を表示させることができる。その後、一時的に保持されている電荷パターンは、半導電性の導電特性により分散して消失する。また、各帯電粒子８は、分子間引力（Van der Walls力）によってその位置に保持され、これによって可視情報の表示状態が維持される。そして、このように、与えられた電荷パターンが静電潜像電荷として半導電性樹脂からなる基板２ａにいつまでも保持されることなく消失するので、基板２ａの表面に指等が接触しても電荷の移動または放電に起因する可視情報の乱れが生じることがなく、また、可視情報の書き換えに際しても、静電潜像電荷の除去を行う必要がない。
【００４０】
上述した第一実施例乃至第四実施例の構成において、誘電性液体６を、常温において固化し、かつ加熱により溶融する特性を備えたものとしてもよい。この特性を備えた誘電性液体６としては、常温（約１０〜３５℃の範囲）で固相状態となり、かつ常温以上の温度（約４０〜８０℃の範囲）に加熱されると液相状態となるものであればよく、例えば有機化合物で、パラフィンワックス，カルナバワックス等の天然ワックス、或いはカルボン酸ワックス，脂肪酸エステル，ワセリン等の合成ワックス、天然樹脂または合成樹脂等で上記条件を満たす公知のものが使用され得る。そして、誘電性液体６として、上記のような特性を備えたものを用いることにより、可視情報の書き換え時に、誘電性液体６を適宜の加熱手段によって加熱して溶融させると、回転粒子５の回転または帯電粒子８の泳動が可能となって可視情報の書き換えができ、その書き換え後、誘電性液体６が常温に戻ると同時に該誘電性液体６が固化するため、可視情報の表示状態の安定性をさらに向上させることができる。
【００４１】
また、上述した第一実施例乃至第四実施例の構成において、誘電性液体６を、チキソトロピー性を備えたものとしてもよい。このチキソトロピー性は、誘電性液体６にチキソトロピック剤を所定量添加することによって得られる。このチキソトロピック剤としては、例えばアルギン酸ナトリウム，ポリビニルアルコール，変性ポリアクリル酸ナトリウム，変性ポリアクリル酸エマルジョン，変性ポリアクリル酸スルホン酸塩等が挙げられる。そして、誘電性液体６として、上記のようなチキソトロピー性を備えたものを用いることにより、可視情報の書き換え時に電界の印可によって回転粒子５または帯電粒子８に一定以上のクーロン力を与えると、誘電性液体６の粘性が低下して回転粒子５の回転または帯電粒子８の泳動が可能となって可視情報の書き換えができ、その書き換え後、クーロン力がなくなると誘電性液体６に高い粘性が生じて可視情報の表示状態が維持されるため、その表示状態の安定性をさらに向上させることができる。
【００４２】
図５は、本発明の第五実施例を示し、この第五実施例は、乾式の情報表示媒体として知られている基板間封入方式のリライタブルペーパーに本発明を適用したものである。このリライタブルペーパー１Ｅは、上下で対向する一対の基板２ａ，２ｂ間に多数の帯電粒子８ａ，８ｂと気体１０とが封入されている。
【００４３】
前記基板２ａ，２ｂは、上述した第四実施例と同様に、合成樹脂製フィルム，合成樹脂製シート等の可撓性を有する薄膜軽量な素材で形成されており、電荷パターンが与えられる上部側の基板２ａが透明となっている。尚、下部側の基板２ｂは、紙，合成紙で構成することも可能である。また、帯電粒子８ａは白色に着色され、負電荷が帯電しており、帯電粒子８ｂは黒色に着色され、正電荷が帯電している。基板２ａ，２ｂ間に封入される気体１０には、乾燥空気，乾燥窒素，乾燥アルゴン，乾燥ヘリウム，乾燥二酸化炭素，乾燥メタン等が用いられ得る。そして、上部側の基板２ａの表面に、負電荷パターンを与えると正電荷を持つ黒色の帯電粒子８ｂが上方に移動するので上部側の基板２ａの表面からは黒色が視認される。また、上部側の基板２ａの表面に、正電荷パターンを与えると負電荷を持つ白色の帯電粒子８ａが上方に移動するので上部側の基板２ａの表面からは白色が視認される。そして、このように電荷パターンに応じて発生する電界により帯電粒子８ａ，８ｂを移動制御して、可視情報の表示を行い得るようになっている。尚、帯電粒子８ａ，８ｂの色分けは、白黒二色以外の互いに異なる色の組合せであってもよい。また、必要に応じて基板２ａ，２ｂ間の空間を複数の隔壁によって区画してセル構造とすることも可能である。
【００４４】
電荷パターンが与えられる上部側の基板２ａは、第一実施例と同様に、ウレタン系樹脂等のイソシアネート基を有する樹脂にイオン伝導性ポリマーを所定割合で混入した半導電性樹脂からなり、表面固有抵抗率が１０４〜１０１２Ω／□、好ましくは１０１０〜１０１１Ω／□に設定されたものが用いられている。
【００４５】
かかる構成にあって、上部側の基板２ａの表面に、イオンフローにより電荷パターンを与えると、該基板２ａが半導電性であることにより、第一実施例と同様に、該電荷パターンが半導電性の絶縁特性によって基板２ａの表面に一時的に保持され、この時点で該電荷パターンが有する強い電界強度によって各帯電粒子８ａ，８ｂが移動制御されて、文字や画像等の可視情報を表示させることができる。その後、一時的に保持されている電荷パターンは、半導電性の導電特性により分散して消失する。また、各帯電粒子８ａ，８ｂは、分子間引力（Van der Walls力）によってその位置に保持され、これによって可視情報の表示状態が維持される。そして、このように、与えられた電荷パターンが静電潜像電荷として半導電性樹脂からなる基板２ａにいつまでも保持されることなく消失するので、基板２ａの表面に指等が接触しても電荷の移動または放電に起因する可視情報の乱れが生じることがなく、また、可視情報の書き換えに際しても、静電潜像電荷の除去を行う必要がない。
【図面の簡単な説明】
【００４６】
【図１】第一実施例にかかるリライタブルペーパー１Ａの概略断面図である。
【図２】第二実施例にかかるリライタブルペーパー１Ｂの概略断面図である。
【図３】第三実施例にかかるリライタブルペーパー１Ｃの概略断面図である。
【図４】第四実施例にかかるリライタブルペーパー１Ｄの概略断面図である。
【図５】第五実施例にかかるリライタブルペーパー１Ｅの概略断面図である。
【符号の説明】
【００４７】
１Ａ，１Ｂ，１Ｃ，１Ｄ，１Ｅ  リライタブルペーパー（情報表示媒体）
２  基材
２ａ，２ｂ  基板
３  樹脂バインダー
４  キャビティ
５  回転粒子
６  誘電性液体
７  マイクロカプセル
８，８ａ，８ｂ  帯電粒子
９  マイクロカプセル
１０  気体
【図１】
0005231730.tif 000002
【図２】
0005231730.tif 000003
【図３】
0005231730.tif 000004
【図４】
0005231730.tif 000005
【図５】
0005231730.tif 000006